(57)【要約】      （修正有）【課題】衛生的なペットケージを提供する。【解決手段】ペットケージであって、ベース１、キャビン２及びケージ本体３を含み、ベースの内部に、開口を有する放置室１０が設けられ、キャビンは放置室の開口部に取り付けられ、キャビン内に放置室の開口に連通する囲み室２０が設けられ、キャビンの側壁に囲み室に連通する入口がさらに設けられ、ケージ本体は、ベースに取り付けられ、ベースと囲んで可動室３０を形成し、可動室は前記キャビンを囲み、ペットは、日常的に可動室内に暮らし、排泄が必要な場合、入口を通して囲み室及び放置室内に進入して排泄を行うことができ、排泄物を放置室内に個別に隔離し、排泄物による可動室の汚染を回避し、臭いを減らし、衛生的であることを保証し、また、ペットが排泄時に囲み室内に入る必要があり、長期間使用するとペットの排泄習慣を養うことができる。【選択図】図７
0003234053.tif 000002
【実用新案登録請求の範囲】
【請求項１】
ベース（１）、キャビン（２）及びケージ本体（３）を含み、
前記ベース（１）の内部に、開口を有する放置室（１０）が設けられ、
前記キャビン（２）は前記放置室（１０）の開口部に取り付けられ、前記キャビン（１０）内に前記放置室（１０）の開口に連通する囲み室（２０）が設けられ、前記キャビン（２）の側壁に前記囲み室（２０）に連通する入口（２０ａ）がさらに設けられ、
前記ケージ本体（３）は、前記ベース（１）に取り付けられ、前記ベース（１）と囲んで可動室（３０）を形成し、前記可動室（３０）は前記キャビン（２）を囲む、
ことを特徴とするペットケージ。
【請求項２】
第１の引き出し（Ｄ１）をさらに含み、前記放置室（１０）の側壁には、外部と連通する第１の引き出し口（１０ｄ）がさらに設けられ、前記第１の引き出し（Ｄ１）は、前記第１の引き出し口（１０ｄ）を摺動可能に貫通して前記放置室（１０）内に進入することを特徴とする請求項１に記載のペットケージ。
【請求項３】
前記入口（２０ａ）を開閉するために前記入口（２０ａ）に設けられるカバードア（４）をさらに含むことを特徴とする請求項１に記載のペットケージ。
【請求項４】
前記放置室（１０）の開口縁に複数の係止孔（１ｋ）が設けられ、前記キャビン（２）の底側縁に複数の係止ブロック（２ｋ）が設けられ、複数の前記係止ブロック（２ｋ）が複数の前記係止孔（１ｋ）にそれぞれ係合することで、前記キャビン（２）が前記ベース（１）に着脱可能に取り付けられることを特徴とする請求項１に記載のペットケージ。
【請求項５】
前記キャビン（２）の頂側には、前記囲み室（２０）と連通する出口（２０ｂ）がさらに設けられることを特徴とする請求項４に記載のペットケージ。
【請求項６】
前記キャビン（２）は、第１の囲み板（２１）、第２の囲み板（２２）、第３の囲み板（２３）、第４の囲み板（２４）、側板（２５）、底部リング（２６）、及び頂板（２７）を含み、前記第１の囲み板（２１）、第２の囲み板（２２）、第３の囲み板（２３）、第４の囲み板（２４）及び側板（２５）の首尾は、互いに組み合わせて囲み室（２０）を囲んで形成し、前記入口（２０ａ）は、前記側板（２５）に設けられ、
前記底部リング（２６）は、前記第１の囲み板（２１）、第２の囲み板（２２）、第３の囲み板（２３）、第４の囲み板（２４）及び側板（２５）の底側に設置され、前記底部リング（２６）は、前記第１の囲み板（２１）、第２の囲み板（２２）、第３の囲み板（２３）、第４の囲み板（２４）及び側板（２５）の底側に組み合わせて固定され、前記係止ブロック（２ｋ）は前記底部リング（２６）に設けられ、
前記頂板（２７）は、前記第１の囲み板（２１）、第２の囲み板（２２）、第３の囲み板（２３）、第４の囲み板（２４）及び側板（２５）の頂側に設置され、前記頂板（２７）は、前記第１の囲み板（２１）、第２の囲み板（２２）、第３の囲み板（２３）、第４の囲み板（２４）及び側板（２５）の頂側に組み合わせて固定され、前記出口（２０ｂ）は、前記頂板（２７）に設けられる、
ことを特徴とする請求項５に記載のペットケージ。
【請求項７】
前記側板（２５）は、前記可動室（３０）の室壁に対して傾斜して取り付けられることで、可動口（３０ｈ）を囲んで形成する、
ことを特徴とする請求項６に記載のペットケージ。
【請求項８】
前記側板（２５）は、前記入口（２０ａ）に複数の第１の物排出溝（２５ｃ）が設けられ、前記第１の物排出溝（２５ｃ）は、前記カバードア（４）の前側に配置され、前記頂板（２７）は、前記出口（２０ｂ）側に複数の第２の物排出溝（２７ｃ）が設けられることを特徴とする請求項６または７に記載のペットケージ。
【請求項９】
前記ケージ本体（３）に複数層が設けられ、各層のケージ本体（３）の可動室（３０）内にいずれも載置板（３０１）が取り付けられることを特徴とする請求項１に記載のペットケージ。
【請求項１０】
前記ベース（１）の底部に複数の自在輪（１Ｌ）がさらに設けられることを特徴とする請求項１に記載のペットケージ。
【考案の詳細な説明】
【技術分野】
【０００１】
本考案はペット用品の技術分野に関し、具体的にはペットケージに関する。
【背景技術】
【０００２】
社会の発展と人々の消費水準の向上に伴い、ペットは人々の間でますます人気が高まっていると同時に、多くの人がペットを家族の一員と見なしており、ペット用品への要求も相対的に高まっているが、ペットケージは、このようなペットを飼育するための不可欠なペット用品である。
【０００３】
ペットはペットケージで食べたり、飲んだり、糞尿を排泄したり、寝たりするが、市場に出回っているペットケージにはトイレを持たないことが多く、一旦ペットがケージ内に排泄すると、ケージ及びペットの不衛生を引き起こし、そのための世話が難しくなる。解決策の一つである中国実用新案登録出願(出願番号２０１６２０５４３９８２．３)の考案は、ケージ本体の内部底側の支持板に排泄溝を設置して、排泄物をケージ本体の底側に設置された引き出し内に誘導し放出することで、ペットの排泄を容易にするトイレ付きの折畳み式ペットケージに関するものであるが、実際の使用中には以下の欠点がある。
【０００４】
その一つ目は、ペットが排泄中に、一部の排泄物が排泄溝を通って引き出し内に入らないことがあり、その結果、一部の排泄物がペットの日常活動の支持板に残り、臭いが強く、不衛生である。
【０００５】
その二つ目は、当該ペットケージには独立した排泄スペースを設けないので、ペットは通常、直接排泄され、ペットの排泄習慣を養うことが困難であり、ペットを放した後、ペットが依然として勝手に排泄される可能性がある。
【考案の概要】
【考案が解決しようとする課題】
【０００６】
本願は、従来の問題を解決するため、衛生的なペットケージを提供することを、目的とする。
【課題を解決するための手段】
【０００７】
上記の目的を達成するために、本考案は、以下の技術的解決手段を提供する。
【０００８】
ペットケージであって、ベース、キャビン及びケージ本体を含み、前記ベースの内部に、開口を有する放置室が設けられ、前記キャビンは前記放置室の開口部に取り付けられ、前記キャビン内に前記放置室の開口に連通する囲み室が設けられ、前記キャビンの側壁に前記囲み室に連通する入口がさらに設けられ、前記ケージ本体は、前記ベースに取り付けられ、前記ベースと囲んで可動室を形成し、前記可動室は前記キャビンを囲む。
【０００９】
好ましくは、第１の引き出しをさらに含み、前記放置室の側壁には、外部と連通する第１の引き出し口がさらに設けられ、前記第１の引き出しは、前記第１の引き出し口を摺動可能に貫通して前記放置室内に進入する。
【００１０】
好ましくは、第２の引き出しをさらに含み、前記ベースの内部に予備室がさらに設けられ、前記予備室の側壁に外部と連通する第２の引き出し口が設けられ、前記第２の引き出しは、前記第２の引き出し口を摺動可能に貫通して前記予備室内に進入し、前記第１の引き出しと前記第２の引き出しとは同じ構造であり、前記予備室と前記放置室とは同じ大きさであり、前記第１の引き出し口と前記第２引出口とは同じ大きさである。
【００１１】
好ましくは、前記入口を開閉するために前記入口に設けられるカバードアをさらに含む。
【００１２】
好ましくは、前記放置室の開口縁に複数の係止孔が設けられ、前記キャビンの底側縁に複数の係止ブロックが設けられ、複数の前記係止ブロックが複数の前記係止孔にそれぞれ係合することで、前記キャビンが前記ベースに着脱可能に取り付けられる。
【００１３】
好ましくは、前記キャビンの頂側には、前記囲み室と連通する出口がさらに設けられる。
【００１４】
好ましくは、前記キャビンは、第１の囲み板、第２の囲み板、第３の囲み板、第４の囲み板、側板、底部リング、及び頂板を含み、前記第１の囲み板、第２の囲み板、第３の囲み板、第４の囲み板、及び側板の首尾は、互いに組み合わせて囲み室を囲んで形成し、前記入口は、前記側板に設けられ、前記底部リングは、前記第１の囲み板、第２の囲み板、第３の囲み板、第４の囲み板及び側板の底側に設置され、前記底部リングは、前記第１の囲み板、第２の囲み板、第３の囲み板、第４の囲み板及び側板の底側に組み合わせて固定され、前記係止ブロックは前記底部リングに設けられ、前記頂板は、前記第１の囲み板、第２の囲み板、第３の囲み板、第４の囲み板及び側板の頂側に設置され、前記頂板は、前記第１の囲み板、第２の囲み板、第３の囲み板、第４の囲み板及び側板の頂側に組み合わせて固定され、前記出口は、前記頂板に設けられる。
【００１５】
好ましくは、前記側板は、前記可動室の室壁に対して傾斜して取り付けられることで、可動口を囲んで形成する。
【００１６】
好ましくは、前記側板は、前記入口に複数の第１の物排出溝が設けられ、前記第１の物排出溝は、前記カバードアの前側に配置され、前記頂板は、前記出口側に複数の第２の物排出溝が設けられる。
【００１７】
好ましくは、前記ケージ本体に複数層が設けられ、各層のケージ本体の可動室内にいずれも載置板が取り付けられる。
【００１８】
好ましくは、前記ベースの底部に複数の自在輪がさらに設けられる。
【考案の効果】
【００１９】
本考案にて提供されるペットケージは、独立したキャビンと放置室を設けることで、ペットの排泄物を放置室内に個別に隔離し、排泄物による可動室の汚染を回避し、臭いを減らし、衛生的であることを保証し、また、キャビンが独立して設けられた排泄スペースであるため、ペットが排泄時に囲み室内に入る必要があり、長期間使用するとペットの排泄習慣を養うことができる。
【図面の簡単な説明】
【００２０】
【図１】本考案の全体構造の概略図１を示す。
【図２】本考案の全体構造の概略図２を示す。
【図３】本考案の全体構造の正面図を示す
【図４】図３の断面図Ａ−Ａを示す。
【図５】図４のＡ部拡大図を示す。
【図６】本考案の全体構造の平面図を示す。
【図７】図６の断面図Ｂ−Ｂを示す。
【図８】本考案の一部の構造概略図１を示す。
【図９】本考案の一部の構造概略図２を示す。
【図１０】本考案のベースの構造概略図を示す。
【図１１】本考案のキャビンの構造概略図を示す。
【図１２】本考案のキャビンの分解概略図を示す。
【考案を実施するための形態】
【００２１】
以下、本考案の実施例における図面を参照して、本考案の実施例における技術的解決手段を明確かつ完全に説明する。記載された実施例は、本考案の実施例の一部にすぎず、全ての実施例ではないことは言うまでもない。当業者であれば、本考案における実施例に基づいて、創造的な労力を行わずに取得した他の全ての変形例は、いずれも本考案の保護範囲に属するものとする。
【００２２】
図１−図８を参照すると、ペットケージは、ベース１、キャビン２及びケージ本体３を含み、ベース１の内部に、開口を有する放置室１０が設けられ、キャビン２は放置室１０の開口部に取り付けられ、キャビン２内に放置室１０の開口に連通する囲み室２０が設けられ、キャビン２の側壁に囲み室２０に連通する入口２０ａがさらに設けられ、ケージ本体３は、ベース１に取り付けられ、ベース１と囲んで可動室３０を形成し、可動室３０はキャビン２を囲む。
【００２３】
具体的には、ペットは、日常的に可動室３０内に暮らし、排泄が必要な場合、ペットは、入口２０ａを通して囲み室２０内に進入し、放置室１０の開口を通して放置室１０内に進入して排泄を行い、排泄が完了した後、元の経路で可動室３０内に戻ればよい。
以上をまとめると、本考案は、独立したキャビン２と放置室１０を設けることで、ペットの排泄物を放置室１０内に個別に隔離し、排泄物による可動室３０の汚染を回避し、臭いを減らし、衛生的であることを保証し、また、キャビン２が独立して設けられた排泄スペースであるため、ペットが排泄時に囲み室２０内に入る必要があり、長期間使用するとペットの排泄習慣を養うことができる。
【００２４】
なお、放置室１０内には、異なるペットに対して関連の土砂が配置されてもよく、例えば、飼育されるペットが猫であれば、放置室１０内に猫砂が配置されてもよい。
【００２５】
図２−図９を参照すると、本考案は、第１の引き出しＤ１をさらに含み、放置室１０の側壁には、外部と連通する第１の引き出し口１０ｄがさらに設けられ、第１の引き出しＤ１は、第１の引き出し口１０ｄを摺動可能に貫通して放置室１０内に進入する。
【００２６】
具体的には、使用前に、土砂、例えば猫砂を第１の引き出しＤ１内に配置して第１の引き出しＤ１を放置室１０内に入れ、ペットが放置室１０に入った後、直接第１の引き出しＤ１内に落下し、第１の引き出しＤ１の猫砂に排泄され、排泄物が猫砂内に堆積され、第１の引き出しＤ１内の排泄物がある程度まで堆積すると、第１の引き出しＤ１を放置室１０から引き出して新しい猫砂に交換すればよい。
以上をまとめると、従来技術に対して、本考案は、第１の引き出しＤ１を設けることで、排泄物を掃除する際、飼い主が第１の引き出しＤ１をケージ本体３の外部で引くことで処理でき、非常に便利である。
【００２７】
さらに、第１の引き出しＤ１を掃除する際、放置室１０が空状態であることを考慮し、この際に、ペットが排泄されると排泄物が放置室１０内に直接落下し、洗浄しにくいため、本考案は、第２の引き出しＤ２をさらに含み、ベース１の内部に予備室１１がさらに設けられ、予備室１１の側壁に外部と連通する第２の引き出し口１１ｄが設けられ、第２の引き出しＤ２は、第２の引き出し口１１ｄを摺動可能に貫通して予備室１１内に進入し、第１の引き出しＤ１と第２の引き出しＤ２とは同じ構造であり、予備室１１と放置室１０とは同じ大きさであり、第１の引き出し口１０ｄと第２引出口１１ｄとは同じ大きさである。
【００２８】
第２の引き出しＤ２は、少なくとも以下の２つの使用形態を備える。
【００２９】
その一つ目は、予備の引き出しとしての使用であり、内部に土砂が充填され、使用者が第１の引き出しＤ１を引き出した後、第２の引き出しＤ２を予備室１１内から引き出して、第２の引き出しＤ２を放置室１０内に挿入すればよく、使用者が第１の引き出しＤ１を洗浄する過程で、ペット排泄物が放置室１０の室壁に直接落下することを回避し、当該ペットケージの実用性を向上させる。
【００３０】
ここで、二つ目は収納用引き出しとしての使用であり、第２の引き出しＤ２は、ペットフードなどの雑貨を保管するために直接使用でき、当該ペットケージに一定の収納能力を持たせることができる。
【００３１】
さらに注意すべきは、ペットが第１の引き出しＤ１内に排泄した際に力を入れすぎて第１の引き出しＤ１が放置室１０から外れることを回避するため、本考案の実施例では、第１の引き出しＤ１と第２の引き出しＤ２の両方に第１のロック部材Ｓ１が設けられ、第１の引き出しＤ１又は第２の引き出しＤ２が放置室１０内に置かれた際に、第１のロック部材Ｓ１によって第１の引き出しＤ１又は第２の引き出しＤ２をしっかりとロックすればよく、ロック部材によって引き出しをロックする技術は日常生活において非常に一般的で種類が多い上、従来技術に属するため、本願においてロック部材の具体的な構造については限定されない。
【００３２】
図４−図９を参照すると、さらに、飼い主が２匹以上のペットをケージ本体３内で同時に飼育する可能性があり、一方のペットが排泄中に他方のペットに影響を与えたり、他方のペットから攻撃を受けたり、迷惑を受けたりするおそれがあることを考慮し、この問題を解決するため、本考案は、入口２０ａを開閉するために入口２０ａに設けられるカバードア４をさらに含む。
【００３３】
具体的には、一方のペットがカバードア４を開けて入口２０ａを通して囲み室２０に入った後、カバードア４を閉めれば入口２０ａが閉まり、安心して排泄できる利便性が有り、排泄が完了したら、カバードア４を開けて入口２０ａを通して可動室３０内に戻せばよい。
【００３４】
また、注意すべき点として、本考案におけるカバードア４は、飼い主が開閉できるか、ペットが自ら開閉できるかのいずれかであり、ペットが自ら開閉できるように、本考案の実施例において、カバードア４の頂側と入口２０ａの頂側縁がヒンジ接続され、カバードア４本体が入口２０ａを覆い、ペットが排泄を必要とする時、直接カバードア４を押して内側に反転させて入口２０ａを開くことで囲み室２０内に入ることができ、ペットが囲み室２０に入った後、カバードア４は自重によって元の位置に戻って再び入口２０ａを閉じることで、囲み室２０と放置室１０が隔離状態になり、同様に、排泄された後、カバードア４を外側に向けて押して入口２０ａを開くことで可動室３０内に入ることができ、ペットが可動室３０に入った後、カバードア４は自重によって元の位置に戻って再び入口２０ａを閉じる。
【００３５】
図９−図１１を参照すると、放置室１０の開口縁に複数の係止孔１ｋが設けられ、キャビン２の底側縁に複数の係止ブロック２ｋが設けられ、複数の係止ブロック２ｋが複数の係止孔１ｋにそれぞれ係合することで、キャビン２がベース１に着脱可能に取り付けられ、キャビン２とベース１を着脱可能な構造としたことにより、キャビン２を定期的に取り外して洗浄することに利便性を提供し、キャビン２の衛生を保証し、細菌の増殖を回避する。
【００３６】
図８−図１２を参照すると、キャビン２の頂側に、囲み室２０に連通する出口２０ｂがさらに設けられる。
【００３７】
具体的に、出口２０ｂがキャビン２の頂側に設けられるので、ペットが排泄された後、縦方向に跳び出す必要があり、ペットの跳び過程でペットの爪が開き、爪内の土砂が放置室内に戻し、ペットが土砂を可動室内に持ち込む可能性が減少する。
【００３８】
注意すべき点として、本考案の実施例において、キャビン２は入口２０ａの外側に第２のロック部材Ｓ２がさらに設けられ、第２のロック部材Ｓ２はカバードア４の外側に当たる第１の位置と、カバードア４から離れる第２の位置を備え、第２のロック部材Ｓ２が第１の位置にある時、カバードア４は片道ドアに制限され、ペットが入ってもよいが、出ることができなくなり、第２のロック部材Ｓ２が第２の位置にある時、カバードア４は、双方向ドアに調整される。
【００３９】
具体的には、ペットが出口から可動室３０に戻ることを確保するため、ペットが排泄した後、直接入口２０ａから可動室３０に戻ることを回避する必要があり、そのため、飼い主は、第２のロック部材Ｓ２を第１の位置に調整してカバードア４の外側をしっかりとロックすることで、ペットが出口２０ｂを通して可動室３０に戻ることのみができ、また、幼いペットを飼育する場合、又はペットがジャンプし難い場合、ペットのジャンプ能力が弱いため、入口２０ａを通して放置室１０に出入りするように、第２のロック部材Ｓ２を第２の位置に調整し、カバードア４を双方向ドアとする必要がある。
【００４０】
図１１−図１２を参照すると、キャビン２は、第１の囲み板２１、第２の囲み板２２、第３の囲み板２３、第４の囲み板２４、側板２５、底部リング２６、及び頂板２７を含み、第１の囲み板２１、第２の囲み板２２、第３の囲み板２３、第４の囲み板２４、及び側板２５の首尾は、互いに組み合わせて囲み室２０を囲んで形成し、入口２０ａは、側板２５に設けられ、底部リング２６は、第１の囲み板２１、第２の囲み板２２、第３の囲み板２３、第４の囲み板２４、及び側板２５の底側に設置され、底部リング２６は、第１の囲み板２１、第２の囲み板２２、第３の囲み板２３、第４の囲み板２４、及び側板２５の底側に組み合わせて固定され、係止ブロック２ｋは底部リング２６に設けられ、頂板２７は、第１の囲み板２１、第２の囲み板２２、第３の囲み板２３、第４の囲み板２４及び側板２５の頂側に設置され、頂板２７は、第１の囲み板２１、第２の囲み板２２、第３の囲み板２３、第４の囲み板２４及び側板２５の頂側に組み合わせて固定され、出口２０ｂは、頂板２７に設けられる。このような構造は、梱包体積の低減、梱包輸送、及ユーザによる組み合わせ及び個別の分解清掃を容易にする。
【００４１】
また、注意すべき点として、本考案において、第１の囲み板２１、第２の囲み板２２、第３の囲み板２３、第４の囲み板２４、側板２５、底部リング２６及び頂板２７は、直接互いに一体に首尾に接続され、囲み室２０を囲んで形成し、底部リング２６は、第１の囲み板２１、第２の囲み板２２、第３の囲み板２３、第４の囲み板２４、及び側板２５の底側に直接設置されて一体に接続され、頂板２７は、第１の囲み板２１、第２の囲み板２２、第３の囲み板２３、第４の囲み板２４、及び側板２５の頂側に直接設置されて一体に接続されることで、キャビン２は、全体が一体に成型され、より堅固に安定し、美観的にも優れたものとなる。
【００４２】
図６−図８を参照すると、側板２５は、可動室３０の室壁に対して傾斜して設計するように取り付けられることで、可動口３０ｈを囲んで形成し、当該設計は、可動室３０の省スペース化を図りつつ、ペットに入口２０ａを通る通路を提供することができる。
【００４３】
図６−図１２を参照すると、側板２５は、入口２０ａに複数の第１の物排出溝２５ｃが設けられ、第１の物排出溝２５ｃは、カバードア４の前側に配置され、頂板２７は、出口２０ｂ側に複数の第２の物排出溝２７ｃが設けられる。
【００４４】
具体的には、ペットが排泄された後、放置室１０から可動室３０に戻る際に爪や身に土砂が付着する可能性があり、直接可動室３０に戻ると、可動室３０を汚染してしまい、また第１の物排出溝２５ｃと第２の物排出溝２７ｃを設けることにより、ペットが可動室３０に戻る際に、その付着した土砂を第１の物排出溝２５ｃと第２の物排出溝２７ｃにより放置室１０に落下するようになる。
【００４５】
図１を参照すると、ケージ本体３に複数層が設けられ、各層のケージ本体３の可動室３０内にいずれも載置板３０１が取り付けられ、ケージ本体３が複数層の構造を備えることにより、複数匹のペットを同時に養えるという利便性を提供する。複数枚の載置板３０１は複数匹のペットのそれぞれに生息場所を提供し、ペットの互いに混み合わないために使用される。
【００４６】
図２−図４を参照すると、ベース１の底部に複数の自在輪１Ｌがさらに設けられ、自在輪１Ｌを設けたことにより、ユーザが当該ペットケージを移動可能となるという利便性を提供し、当該ペットケージの柔軟性を向上させる。
【００４７】
なお、本願の実施例を図示及び説明したが、本願の原理及び精神から逸脱することなく、様々な変更、修正、置換及び変形がこれらの実施例になされ得ることが当業者には理解される。
【符号の説明】
【００４８】
１  ベース
１０  放置室
１０ｄ  第１の引き出し口
１１  予備室
１１ｄ  第２の引き出し口
１ｋ  係止孔
１Ｌ  自在輪
２  キャビン
２０  囲み室
２０ａ  入口
２０ｂ  出口
２１  第１の囲み板
２２  第２の囲み板
２３  第３の囲み板
２４  第４の囲み板
２５  側板
２５ｃ  第１の物排出溝
２６  底部リング
２７  頂板
２７ｃ  第２の物排出溝
２ｋ  係止ブロック
３  ケージ本体
３０  可動室
３０１  載置板
３０ｈ  可動口
４  カバードア
Ｄ１  第１の引き出し
Ｄ２  第２の引き出し
Ｓ１  第１のロック部材
Ｓ２  第２のロック部材
【図１】
0003234053.tif 000003
【図２】
0003234053.tif 000004
【図３】
0003234053.tif 000005
【図４】
0003234053.tif 000006
【図５】
0003234053.tif 000007
【図６】
0003234053.tif 000008
【図７】
0003234053.tif 000009
【図８】
0003234053.tif 000010
【図９】
0003234053.tif 000011
【図１０】
0003234053.tif 000012
【図１１】
0003234053.tif 000013
【図１２】
0003234053.tif 000014